(57)【特許請求の範囲】
【請求項１】
読取対象に対して光を照射する発光手段と、
前記発光手段により読取口を介して照射され、前記読取対象にて反射された光を当該読取口を介して受光する光学的センサと、
少なくとも第１の結像レンズによって、前記読取対象からの反射光を前記光学的センサに結像させる結像手段と
を備えた光学情報読取装置において、
前記第１の結像レンズと共に前記結像手段を構成する第２の結像レンズを有した読取口を利用者が選択的に取り付けることができるよう構成したことを特徴とする光学情報読取装置。
【請求項２】
読取対象に対して光を照射する第１の発光手段と、
前記第１の発光手段によって読取口を介して照射され、前記読取対象にて反射された光を当該読取口を介して受光する光学的センサと、
前記読取対象からの反射光を前記光学的センサに結像させる結像手段と
を備えた光学情報読取装置において、
前記第１の発光手段と共に使用される第２の発光手段を有する読取口を利用者が選択的に取り付けることができるよう構成したことを特徴とする光学情報読取装置。
【請求項３】
読取対象に対して光を照射する第１の発光手段と、
前記第１の発光手段により読取口を介して照射され、前記読取対象にて反射された光を当該読取口を介して受光する光学的センサと、
少なくとも第１の結像レンズによって、前記読取対象からの反射光を前記光学的センサに結像させる結像手段と
を備えた光学情報読取装置において、
前記第１の結像レンズと共に前記結像手段を構成する第２の結像レンズを有し、かつ、前記第１の発光手段と共に使用される第２の発光手段を有する読取口を利用者が選択的に取り付けることができるよう構成したことを特徴とする光学情報読取装置。
【発明の詳細な説明】
【０００１】
【発明の属する技術分野】
本発明は、２次元コードラベルなどの読取対象に光を照射し、その反射光から読取対象の画像を読み取る光学情報読取装置に関する。
【０００２】
【従来の技術】
従来、発光ダイオードなどの発光手段から、例えば２次元コードラベルなどの読取対象に照射した光の反射光を、結像レンズによって光学的センサに結像し、その光学的センサにて２次元コードラベルの画像データである２次元コードデータを読み取る光学情報読取装置が知られている。
【０００３】
通常、このような光学情報読取装置は、光学情報読取装置のケースに設けられた読取口を２次元コードラベルにほぼ接触させた状態で、発光手段から照射され２次元コードラベルからの反射光を、光学的センサに結像するように結像レンズが調整されている。
【０００４】
【発明が解決しようとする課題】
ここで、光学情報読取装置の読取対象について考える。例えば読取対象である２次元コードラベルは、その面積の大小をはじめ、コードを構成する要素の間隔、例えば２次元コードが所定面積のドットで構成されている場合にはそのドットの間隔の異なる種々のものがある。
【０００５】
従って、光学情報読取装置の結像レンズを主として構成される光学系の光学特性によって、読み取ることのできる読取対象が特定されることになる。言い換えれば、同一の光学系を用いては、読み取ることができない読取対象が存在する。例えば、２次元コードラベルが読取口よりも大きくなれば、読取口から２次元コードラベルを離して読み取ることが必要となるが、所定距離以上２次元コードラベルを離すと、結像レンズによる光学的センサ上の結像にいわゆるボケが生じ、読み取れなくなってしまう。また、上述した発光手段からの照射光は分散されて照射されるため、所定距離を越えると、ラベル面に照射される光が弱くなり、読取精度が低下してしまう。
【０００６】
また、結像レンズが、２次元コードラベルの画像を例えば１／１０倍というような所定倍率で光学的センサに結像するとき、２次元コードを構成する要素の間隔が小さくなれば、光学的センサ上の結像における２次元コードの要素間隔が受光素子の配列間隔よりも小さくなることが考えられる。この場合、光学的センサは、２次元コードを構成する要素の間隔を判別することができなくなり、２次元コードを読み取ることができなくなってしまう。つまり、光学情報読取装置の分解能を越えてしまうのである。
【０００７】
このように、一の光学系を用いたのであっては、読み取ることができない２次元コードラベルが存在する。従って、読取対象の大きさや細かさや材質などに合わせて、複数台の光学情報読取装置を用意する必要があった。
【０００８】
このような問題点を解決する一手法として、例えば光学情報読取装置が各種読取対象に合わせた複数種類の結像レンズ及び発光手段を有する構造としておき、これら複数種類の結像レンズや発光手段を装置に取り付けたスイッチなどによって切り換えて使用するようにすることが考えられる。例えば、結像レンズを切り換えることによって読み取り視野や結像倍率などを変えるという具合である。
【０００９】
しかし、どのような読取対象をも読み取れるように複数の結像レンズや発光手段を装置に設けることを考えると、特にハンディタイプの光学情報読取装置などでは、構成の複雑化及び大型化につながるという点で好ましくない。また、装置の基本構成を設計しなおす必要がある。
【００１０】
本発明は、上述した問題点を解決するためになされたものであり、従来の基本的な装置構成をそのまま利用することによって装置構成の複雑化や大型化を招くことなく、どのような大きさの読取対象をも読み取れるようにすることを第１の目的とし、また、読み取りに適切な光の量や照射角度を実現することを第２の目的とする。
【００１１】
【課題を解決するための手段及び発明の効果】
上述した第１の目的を達成するためになされた請求項１に記載の光学情報読取装置では、発光手段が読取対象へ光を照射する。この発光手段としては、例えば発光ダイオードなどを用いることが考えられる。例えば４つというような所定数の発光ダイオードを装置内部に設けておき、読み取り時には、これらのダイオードを点灯させて読取対象へ光を照射するという具合である。この発光手段からの光は、装置のケースに設けられた読取口を介して読取対象に照射され、その読取対象にて反射されて、再び同じ読取口からケース内に入る。この反射光が光学的センサによって受光され、その結果、読取対象の画像がデータとして読み取られるのであるが、このとき、結像手段は、少なくとも第１の結像レンズによって、読取対象からの反射光を光学的センサに結像させる。ここで、光学的センサとは、例えばＣＣＤエリアセンサなどが考えられる。また、第１の結像レンズは通常複数枚のレンズが組にされた組レンズとして構成されている。なお、読取対象は、２次元コードやバーコードが考えられる。また、この装置は、読取口近傍の読取対象を読み取りものであることも考えられるし、あるいは、読取口近傍から数１０ｃｍ（例えば３０〜５０ｃｍ）離れた読取対象を読み取るものであることも考えられる。
【００１２】
そして特に、請求項１に記載の光学情報読取装置は、第１の結像レンズと共に結像手段を構成する第２の結像レンズを有する読取口を利用者が選択的に取り付けることができるよう構成されている。読取口を取り付けるというのは、もともとの読取口にさらに第２の結像レンズを有した読取口を取り付ける構成であることも考えられるし、読取口の部分を交換し、もともとの読取口に代えて第２の結像レンズを有した読取口を取り付ける構成であることも考えられる。なお、読取口は、光学情報読取装置のケース本体に外嵌されたゴム製の部材などであることが一般的であり、読取口の部分を交換するというのは、この部材を交換するという意味である。ここで第２の結像レンズは、第１の結像レンズと同様に１枚のレンズであることも考えられるし、複数枚のレンズが組にされた組レンズであることも考えられる。
【００１３】
第２の結像レンズは、第１の結像レンズと共に結像手段を構成する。すなわち、第２の結像レンズを有した読取口を取り付けることによって、結像手段は、第１及び第２の結像レンズによって、読取対象からの反射光を光学的センサへ結像する。つまり、第２の結像レンズを有した読取口を取り付ければ、第１の結像レンズだけからなる光学系とは別の光学系が構成されることになる。従って、読取対象の大きさや細かさに合わせ、その読取対象の画像を光学的センサへ結像させるような光学系を構成する第２の結像レンズを有した読取口を用意しておけば、当該読取口を取り付けることによって、その読取対象を読み取ることが可能となる。
【００１４】
そして、本発明では、読取口に光学系の特性を変える第２の結像レンズを設け、その読取口を選択的に取り付けるのであるから、装置構成の複雑化及び大型化を招くことがない。また、従来の装置の基本構成、例えば光学系の構成を変更することなく適用することができる点で有利である。例えば、現在製品化されている光学情報読取装置に対しても適用でき、利用者は、読取対象の大きさや細かさに対応する読取口を新たに購入し、その読取口を取り付けるだけで、通常の２次元コードよりも大きな又は細かな２次元コードを読み取らせることができる。
【００１５】
次に、上述した第２の目的、すなわち、従来の基本的な装置構成を利用することによって装置構成の複雑化や大型化を招くことなく、読み取りに適切な光の量や照射角度を実現するという目的を達成するためになされた光学情報読取装置を説明する。この光学情報読取装置は、請求項２に示した構成によって実現される。なお、前提となる装置は、請求項１で説明したものと同様となっている。
【００１６】
すなわち、請求項２に記載の光学情報読取装置でも、発光手段（第１の発光手段）が読取対象へ光を照射する。この第１の発光手段としては、例えば発光ダイオードなどを用いることが考えられる。この第１の発光手段からの光は、装置のケースに設けられた読取口を介して読取対象に照射され、その読取対象にて反射されて、再び同じ読取口からケース内に入る。この反射光は、結像手段によって光学的センサに結像され、その結果、読取対象の画像がデータとして読み取られる。
【００１７】
そして特に、請求項２に記載の光学情報読取装置は、上述の第１の発光手段と共に使用される第２の発光手段を有する読取口を利用者が選択的に取り付けることができるよう構成されている。請求項１の光学情報読取装置の説明として上述したのと同様に、読取口を取り付けるというのは、もともとの読取口にさらに第２の発光手段を有した読取口を取り付ける構成であることも考えられるし、読取口の部分を交換し、もともとの読取口に代えて第２の発光手段を有した読取口を取り付ける構成であることも考えられる。
【００１８】
第２の発光手段は、装置内の第１の発光手段と共に使用される。例えば第１の発光手段と共に点灯される第２の発光手段を有した読取口を取り付ければ、読取対象が大きくなった場合などの光量の不足を補うことができる。例えばラベルの大きさが大きくなることによって、装置内の第１の発光手段のみではラベル面の照度分布に偏りが生じ、ラベル面に暗い部分ができることが考えられる。このようなときには、装置内の第１の発光手段と共に第２の発光手段を用い、補助的にラベル面の暗い部分を照らすような発光手段を有した読取口を取り付けるという具合である。つまり、読取対象に合わせた光量、照射角度を実現する読取口を用意しておけば、当該読取口を取り付けることによって、その読取対象を確実に読み取ることが可能となる。
【００１９】
そして、読取口に第２の発光手段を設け、読取口を選択的に取り付けるため、装置構成の複雑化及び大型化を招くことがない。また、従来の装置の基本構成、例えば光学系の構成を変更することなく適用することができる点で有利である。例えば、現在製品化されている光学情報読取装置に対しても適用でき、利用者は、読取対象に対応する読取口を新たに購入し、その読取口を取り付けるだけで、読取対象に合わせた適切な光の量および照射角度で読み取らせることができる。
【００２０】
以上、請求項１に記載の光学情報読取装置は、結像レンズを有した読取口を取り付け可能としたものであり、一方、請求項２に記載の光学情報読取装置は、発光手段を有した読取口を取り付け可能としたものであったが、請求項３に示すように、結像レンズおよび発光手段を共に有した読取口を取り付け可能とした光学情報読取装置の発明として実現することも可能である。
【００２１】
すなわち、その構成は、読取対象に対して光を照射する第１の発光手段と、第１の発光手段により読取口を介して照射され、読取対象にて反射された光を当該読取口を介して受光する光学的センサと、少なくとも第１の結像レンズによって、読取対象からの反射光を光学的センサに結像させる結像手段とを備えた光学情報読取装置において、第１の結像レンズと共に結像手段を構成する第２の結像レンズを有し、かつ、第１の発光手段と共に使用される第２の発光手段を有する読取口を利用者が選択的に取り付けることができるよう構成したことを特徴とするものである。
【００２２】
このような光学情報読取装置を用いれば、異なる大きさあるいは細かさの読取対象を読み取ることが可能であり、あらゆる２次元コードラベルを読み取ることが可能となる。
【００２３】
【発明の実施の形態】
以下、本発明を具体化した実施形態を図面を参照して説明する。
図１は、上述した発明が適用された実施形態としての光学情報読取装置１０の概略説明図である。
【００２４】
本実施形態において、光学情報読取装置１０は、２次元コードリーダハンディターミナルとして構成されているものである。図２は、光学情報読取装置１０の制御系統のブロック図である。
光学情報読取装置１０は、ケース１１、読取部１７、データ処理出力部１６、および電源部１８を備えている。
【００２５】
ケース１１の前方部の内部には読取部１７が配置され、また、ケース１１の後方部は操作者が手で握るための把持部１１ａを形成している。ケース１１の前方部の下部には、読取口２０が外嵌され、図示しないネジでネジ止めされている。この読取口２０は、合成樹脂などで形成されている。この読取口２０は略正方形形状の開口を備えており、読取口２０を読取対象である２次元コードラベル５０ａにほぼ接触した状態で、その開口から入射する２次元コードラベル５０ａの反射光によって２次元コードラベル５０ａの画像を読み取る。
【００２６】
読取部１７は、「発光手段（第１の発光手段）」としての照明用赤色発光ダイオード１２、発光駆動回路２８、反射鏡１５、「第１の結像レンズ」としての結像レンズ１４、および「光学的センサ」としての光学的センサ１３を備えている。発光駆動回路２８により照明用赤色発光ダイオード１２が発光すると、その赤色光は読取口２０の開口を通過して、ケース１１外部の２次元コードラベル５０ａを照射する。
【００２７】
２次元コードラベル５０ａにより反射された赤色光は、再度、読取口２０からケース１１内に入り、反射鏡１５で反射されて、絞り（図示せず）を通過し、複数枚で構成される結像レンズ１４を介して、受光素子が２次元に配列された光学的センサ１３に結像する。この２次元コードラベル５０ａの画像を光電変換して読み取った光学的センサ１３は、画像のパターンを表す電気信号としてデータ処理出力部１６側に出力する。このように、反射鏡１５および結像レンズ１４からなる光学系は、読取口２０にほぼ接触した状態の２次元コードラベル５０ａからの反射光を光学的センサ１３に結像させるように構成されている。
【００２８】
図２に示すように、ケース１１内部のデータ処理出力部１６には、増幅回路４１、メモリ４２、２値化回路４３、マイクロコンピュータ４４およびレジスタやホストコンピュータ等の本体装置への出力回路４６が備えられている。データ処理出力部１６は、読取部１７から２次元コードラベルの画像である２次元コードデータを、増幅回路４１及び２値化回路４３を介して入力すると、マイクロコンピュータ４４の処理により、そのデータをデコード（解読）して、ラベル面の２次元コードが表している情報を得、その情報をメモリ４２に一旦記憶する。次に、このメモリ４２内に記憶された情報を出力回路４６により、データ出力信号線１９を介しシリアル信号として本体装置へ送信する。なお、本実施形態では有線通信としているが、光や電波による無線通信としてもよい。
【００２９】
また読取部１７が収納されている部分の、光路に影響しない位置に、ブザー装置４８（図２参照）が設けられ、マイクロコンピュータ４４にて２次元コードのデコードに成功した場合に、ブザー装置４８を鳴動させるようにしている。
マイクロコンピュータ４４は、周知のＣＰＵ，ＲＯＭ，ＲＡＭ，Ｉ／Ｏ等を備え、上述したデータ処理出力部１６として必要な処理を実行している。
【００３０】
図１の照明用赤色発光ダイオード１２は、図２に示すように実際には４個の照明用赤色発光ダイオード１２ａ，１２ｂ，１２ｃ，１２ｄから構成されており、これらからの照射光は、読取口２０の開口から分散され、ケース１１の外部に存在する２次元コードラベル５０ａに照射される。
【００３１】
本実施形態の光学情報読取装置１０は、以上説明したような基本機能を有するものであるが、ここで、光学情報読取装置１０の読取対象である２次元コードラベルについて考える。読取対象である２次元コードラベルは、その面積の大小をはじめ、コードを構成する要素の間隔、例えば２次元コードが所定面積のドットで構成されている場合にはそのドットの間隔の大小の異なる種々のものがある。
【００３２】
従って、光学情報読取装置１０の結像レンズ１４を主として構成される光学系の光学特性によって、読み取ることのできる２次元コードラベルの種類が特定されることになる。従って、同一の光学系では、読み取ることができない２次元コードラベルが存在する。
【００３３】
例えば、２次元コードラベルが読取口２０よりも大きくなれば、読取口２０から２次元コードラベルを離して読み取ることが必要となるが、所定距離以上２次元コードラベルを離すと、結像レンズ１４による光学的センサ１３上の結像にいわゆるボケが生じ、読み取れなくなってしまう。また、上述した照明用赤色発光ダイオード１２からの照射光は分散されて照射されるため、所定距離を越えると、ラベル面に照射される光が弱くなり、読み取りができなくなってしまう。
【００３４】
また、結像レンズ１４が、２次元コードラベルの画像を例えば１／１０倍というような所定倍率で光学的センサ１３に結像するとき、２次元コードを構成する要素の間隔が小さくなれば、結像レンズ１４による光学的センサ１３上の結像における２次元コードの要素間隔が受光素子の配列間隔よりも小さくなることが考えられる。この場合、光学的センサ１３は、２次元コードを構成する要素の間隔を判別することができなくなり、２次元コードラベルを読み取ることができなくなってしまう。つまり、光学情報読取装置１０の分解能を越えてしまうのである。
【００３５】
このような点に鑑みて本実施形態では、図１中のケース１１に外嵌される読取口２０を、図３に示すように、「第２の結像レンズ」としての結像レンズ２３を有した読取口２２に交換することができるようにした。なお、図３に示す光学情報読取装置１０は、図１に示す光学情報読取装置１０の読取口２０のみを、結像レンズ２３を有した読取口２２に交換した様子を示しており、他の構成は全て図１に示した光学情報読取装置１０と同様である。従って、同様の構成要素についての符号はそのまま示した。また、図３においても、光学情報読取装置１０としている。
【００３６】
図３において、結像レンズ２３は、結像レンズ１４及び反射鏡１５と共に、図１に示した結像レンズ１４及び反射鏡１５によって構成される光学系とは光学特性の異なる光学系を構成する。つまり、結像レンズ２３によって、光学情報読取装置１０の光学系の特性である物像間距離や結像倍率が変更されることになる。図１中の結像レンズ１４のみの場合には、例えば２次元コードラベルの画像が１／５倍で結像されているとき、図３中の結像レンズ２３を組み合わせれば、同じ２次元コードラベルの画像が１／１０倍で結像されるという具合である。従って、このような読取口を、様々な２次元コードラベルに合わせて用意しておけば、１台の光学情報読取装置１０を用い、読取口だけを交換するだけで、大きさや細かさの異なる２次元コードラベルを読み取らせることができる。
【００３７】
次に、読取口２２の構成を説明する。
図４（ａ）は、図３のＡ−Ａ線断面図を示している。読取口２２のケース１１との嵌合部２２ｂには、ネジ止め用の穴２２ａが形成されている。一方、ケース１１の嵌合部にも対応するネジ止め用の穴が形成されており（不図示）、読取口２２は、ケース１１に外嵌され、ネジ止め用の穴２２ａを介して図示しないネジによってネジ止めされ固定される。読取口２２には、比較的大きな面積を有する２次元コードラベルを読み取るために、結像レンズ２３としてメニスカスレンズが用いられている。このような読取口２２を用いれば、図３及び図４（ａ）中に一点鎖線で示したように、２次元コードラベル画像の結像倍率を下げることができる。従って、図１に示した２次元コードラベル５０ａよりも大きな面積を有する２次元コードラベル５０ｂ（図３参照）を読み取ることができる。
【００３８】
続けて他の読取口について説明する。
例えば図４（ｂ）は、図４（ａ）に示した読取口２２とは別の読取口２５を示している。なお、読取口２５にも、その嵌合部２５ｂにネジ穴２５ａが形成され、ケース１１にネジ止めされる点に関しては同様である。
【００３９】
この読取口２５には、コードを構成する要素が比較的小さな２次元コードラベルを読み取るために、結像レンズ２６として凸レンズが設けられている。このような読取口２５を用いれば、図４（ｂ）中に一点鎖線で示したように、２次元コードラベル画像の結像倍率を上げることができる。結果として、光学情報読取装置１０の分解能を上げることができ、コードを構成する要素の間隔が小さな２次元コードラベルを読み取ることができる。
【００４０】
なお、このような結像レンズ２３，２６を有した読取口２２，２５を読取対象に合わせて設計するときには、周知となっている組合せレンズの近軸公式を利用すればよい。つまり、ケース１１内の結像レンズ１４と、読取口２２，２５に設けた結像レンズ２３，２６とから構成される光学系は、ケース１１内の結像レンズ１４が複数枚の組レンズであったとしても、これらを１枚のレンズとみなした場合の読取口２２，２５に設けられた結像レンズ２３，２６との組合せに帰着されるのである。従って、周知の組合せレンズの近軸公式を利用して、読取対象に合った光学特性を有する光学系が構成されるように読取口２２，２５に結像レンズ２３，２６を設ければよい。このようなレンズの組合せは、ケース１１内の結像レンズ１４を設計する際に行われる作業であるため、詳しい説明は省略する。
【００４１】
以上は、大きさや細かさが異なる種々の読取対象を読み取るための工夫であったが、次に、読取対象の２次元コードラベルの照度分布、あるいは、２次元コードラベルからの反射光に関する工夫について説明する。
例えば、図４（ａ）に示した読取口２２は、図４（ｂ）に示した読取口２５や図１に示した読取口２０と比較して、その開口が広くなる分だけ照明用赤色発光ダイオード１２から照射される赤色光のラベル面における照度は小さくなると考えられる。このようなときには、読取精度が落ちてしまうことになる。
【００４２】
このような点に鑑みて本実施形態では、さらに、交換可能な読取口として、図４（ｃ）に示すような、結像レンズ２３と共に「第２の発光手段」としての照明用赤色発光ダイオード２９を有した読取口２７を用意した。図４（ｃ）に示した照明補助用赤色発光ダイオード２９は、読取口２７をケース１１に取り付けると、図示しないフラットワイヤによってケース１１の嵌合部に配線された照明用信号線２８ａ（図２参照）に接続され、その照明用信号線２８ａを介して供給される電流によって発光する。
【００４３】
これによって、２次元コードラベルの照度分布を変更することができる。例えば２次元コードラベルの暗い部分を補助的に照らすように、照明補助用赤色発光ダイオード２９を読取口２７に設ければ、その読取口２７をケース１１に取り付けることによって、光量の不足による読取エラーをなくすことができる。
【００４６】
つまり、ラベル面の特性を考慮し、かつ、ケース１１内の照明用赤色発光ダイオード１２による照度分布を考慮して、照明補助用赤色発光ダイオード２９の位置、個数、角度などを工夫した読取口２７を用意しておけば、読み取りに適切な光の量や照射角度を実現することができ、あらゆる２次元コードラベルを確実に読み取ることが可能となる。
【００４７】
そして、本実施形態の光学情報読取装置１０では、ケース１１に外嵌される読取口２０，２２，２５，２７を交換することによって以上説明した効果を奏するものである。すなわち、ケース１１側の基本構成については、従来から全く変更を加えることなく実施することができ、装置の複雑化や大型化を招くことがないという極めて優れた効果を奏する。特に、ハンディターミナルでは有効である。
【００４８】
以上、本発明はこのような実施形態に何等限定されるものではなく、本発明の主旨を逸脱しない範囲において種々なる形態で実施し得る。
例えば、上記実施形態では、結像レンズ２３，２６や照明補助用赤色発光ダイオード２９を有した読取口２２，２５，２７は、ネジ止め用の穴２２ａ，２５ａ，２７ａを介してネジ止めされるものであったが、例えばケース１１の読取口との嵌合部を円形とし、図４（ｄ）に示すように、読取口３１の嵌合部３１ｂにネジを設けておき、読取口３１をネジ込むようにしてもよい。また、読取口が弾力を有するゴムなどの素材である場合、ケース１１に押し込むことで固定されるようにしてもよい。
【００５０】
また、本実施形態では、読取対象として２次元コードを対象としていたが、当然、バーコードにも同様に適用できる。
【図面の簡単な説明】
【図１】実施形態の光学情報読取装置の構成を示す概略説明図である。
【図２】実施形態の光学情報読取装置の制御系を示すブロック図である。
【図３】実施形態の光学情報読取装置の読取口を交換した様子を示す説明図である。
【図４】読取口を例示する断面図である。
【符号の説明】
１０…光学情報読取装置              １１…ケース
１１ａ…把持部                      １２…照明用赤色発光ダイオード
１３…光学的センサ                  １４…結像レンズ
１５…反射鏡                        １６…データ処理出力部
１７…読取部                        １８…電源部
１９…データ出力信号線
２０，２２，２５，２７，３１…読取口
２２ａ，２５ａ，２７ａ…ネジ止め用の穴
２２ｂ，２５ｂ，３１ｂ…嵌合部      ２３，２５…結像レンズ
２８ａ…照明用信号線                ２９…照明補助用赤色発光ダイオード
４１…増幅回路                      ４２…メモリ
４３…２値化回路                    ４４…マイクロコンピュータ
４６…出力回路                      ４８…ブザー装置
５０ａ，５０ｂ…２次元コードラベル
【図１】
0004099863.tif 000002
【図２】
0004099863.tif 000003
【図３】
0004099863.tif 000004
【図４】
0004099863.tif 000005